(57)【要約】【課題】  シェルフに実装可能なカードユニットの幅が統一されておらず、基本寸法の整数倍でないものが含まれる場合においても、少ない部品点数で、簡単に開口部を覆うことができるブランクパネルを提供する。【解決手段】  ブランクパネル１を、シェルフ１２の開口部１３ａ以上の大きさで１枚の帯板状に形成する。ブランクパネル１は、シェルフ１２に実装可能なカードユニット１６それぞれの幅に対応した複数の正面板部２と、隣接する正面板部２を切り離し可能な切断部４とを有しており、必要に応じて、正面板部２の不要部分を切断部４で切断して使用する。【選択図】  図２
2011100768.tif 000002
【特許請求の範囲】
【請求項１】
複数のカードユニットを挿入口からカードスロットに挿入して実装可能なシェルフのカードユニット未実装部分である開口部を覆うためのブランクパネルにおいて、
前記シェルフに実装可能な複数のカードユニットそれぞれに対応した幅を有し、前記カードスロットの配列に対応して配列された複数の正面板部と、
隣接する正面板部の間に位置するスリットと、
前記スリットの上下に位置し、前記隣接する正面板部を切り離し可能な切断部と、
を備え、
前記開口部以上の大きさで１枚の帯板状に形成されたブランクパネル。
【請求項２】
前記切断部は、Ｖ溝またはミシン目が設けられていることを特徴とする請求項１記載のブランクパネル。
【請求項３】
前記複数の正面板部はそれぞれ、上部及び下部に締結穴を有することを特徴とする請求項１または請求項２記載のブランクパネル。
【請求項４】
前記スリットの上方及び下方に切欠き部を備えたことを特徴とする請求項１乃至請求項３のいずれか１項記載のブランクパネル。
【請求項５】
複数のカードユニットを挿入口から挿入して実装可能なシェルフのカードユニット未実装部分である開口部を覆うためのブランクパネルにおいて、
伸縮自在なジャバラ状で前記開口部以上の大きさに形成されたブランクパネル。
【請求項６】
前面と背面とに交互にＶ溝が設けられた折り曲げ部を備えたことを特徴とする請求項５記載のブランクパネル。
【請求項７】
前記折り曲げ部は切り離し可能であることを特徴とする請求項６記載のブランクパネル。
【請求項８】
複数のカードユニットを挿入口から挿入して実装可能なシェルフのカードユニット未実装部分である開口部を覆うためのブランクパネルにおいて、
前記シェルフのレールに沿って左右方向にスライドさせるための取手部を備え、
曲折可能であり、かつ前記開口部以上の大きさで１枚の帯板状に形成されたブランクパネル。
【請求項９】
複数のカードユニットを挿入口から挿入して実装可能なシェルフと、
前記挿入口のうちカードユニット未実装部分である開口部を覆うためのブランクパネルと、
を備えたブランクパネルの取付け構造において、
前記シェルフは正面側と側面側とに一連のレールを有し、
前記ブランクパネルは曲折可能で、かつ前記開口部以上の大きさで１枚の帯板状に形成されており、
前記ブランクパネルを前記レールに沿ってスライド可能なブランクパネルの取付け構造。
【発明の詳細な説明】
【技術分野】
【０００１】
本発明は、例えば通信機器などの電子機器におけるシェルフ実装構造において、カードユニットなどが未実装の場合に、シェルフの開口部を覆うために装着されるブランクパネル及びブランクパネル取付け構造に関するものである。
【背景技術】
【０００２】
通信機器などの電子機器を構成する電子回路を電気的に接続する構造として、電子回路基板を備えたカードユニットをシェルフの正面側の挿入口から複数挿入するものがある。シェルフ内の背面側にはマザーボードが設けられており、挿入口からカードユニットを挿入して、電子回路基板に実装されたコネクタとマザーボードに実装されたコネクタとを接合する。シェルフ内に実装された複数の電子回路基板はマザーボードを介して電気的に接続される。このような実装構造を採用する場合、挿入口のカードユニットが実装されていない部分（以下、開口部と記す）は、電子回路の冷却性能の向上およびシェルフ内への異物の進入などを防止するためにブランクパネルで覆われている。
【０００３】
従来のブランクパネルは、カードユニットの正面板に相当する帯板状の基部と、シェルフの枠に係合する係合部と、隣接するブランクパネルを互いに連結するための連結手段とを備えている。シェルフの前面枠に係合部を係合させて、開口部をブランクパネルで覆っている。基部の幅は、基本寸法のカードユニットにおける正面板の幅に相当する。連結手段は爪部と係合穴とで構成されており、隣接するブランクパネルの係合穴に爪部を挿入することにより、隣接するブランクパネル同士を連結できる。必要な枚数のブランクパネルを互いに連結することにより、開口部に対応した寸法のブランクパネルの組が形成される。また、ブランクパネルを単品で使用する場合は、爪部を取り外して自身の係合穴に挿入して使用する（例えば、特許文献１参照）。
【先行技術文献】
【特許文献】
【０００４】
【特許文献１】特開２０００−１９６２６４号公報
【発明の概要】
【発明が解決しようとする課題】
【０００５】
従来のブランクパネルにおいては、開口部の幅が、基本寸法のカードユニットにおける正面板の幅の整数倍であれば、隣接するブランクパネルを連結して開口部を覆うことが可能である。しかし、実装予定のカードユニットの幅が統一されておらず、基本寸法の整数倍でないものが含まれる場合には、隣接するブランクパネルを連結して開口部を覆うことができないという問題があった。複数種類のカードユニットに対応するためには、それぞれ対応する大きさのブランクパネルを個別に準備しなければならず、部品点数が増加するという問題があった。
【課題を解決するための手段】
【０００６】
本発明に係るブランクパネルは、複数のカードユニットを挿入口からカードスロットに挿入して実装可能なシェルフのカードユニット未実装部分である開口部を覆うためのもので、シェルフに実装可能な複数のカードユニットそれぞれに対応した幅を有し、カードスロットの配列に対応して配列された複数の正面板部と、隣接する正面板部を切り離し可能な切断部とを備え、開口部以上の大きさで１枚の帯板状に形成されたものである。
【発明の効果】
【０００７】
本発明に係るブランクパネルは、各カードユニットの幅に対応した正面板部が連なって１枚の帯板状に形成されており、必要に応じて不要部分を切断して使用するため、実装予定のカードユニットの幅が統一されておらず、基本寸法の整数倍でないものが含まれる場合においても、開口部を覆うことができる。また、１枚のブランクパネルを必要に応じて切断して使用するため、大きさが異なるカードユニットそれぞれに対応するブランクパネルを個別に準備する必要がなく、部品点数を削減できる。
【図面の簡単な説明】
【０００８】
【図１】本発明の実施の形態１におけるブランクパネルの構造を示す斜視図である。
【図２】本発明の実施の形態１におけるブランクパネルの構造を示す斜視図である。
【図３】本発明の実施の形態１におけるブランクパネルの構造を示す斜視図である。
【図４】本発明の実施の形態１におけるブランクパネルの構造を示す斜視図である。
【図５】本発明の実施の形態１における切断部４を示す図である。
【図６】本発明の実施の形態２におけるブランクパネルの構造を示す斜視図である。
【図７】本発明の実施の形態２におけるブランクパネルの構造を示す斜視図である。
【図８】本発明の実施の形態２におけるブランクパネルの構造を示す斜視図である。
【図９】本発明の実施の形態２におけるブランクパネルの構造を示す斜視図である。
【図１０】本発明の実施の形態２におけるブランクパネルのジャバラ構造を説明する断面図である。
【図１１】本発明の実施の形態３におけるブランクパネルの構造を示す斜視図である。
【図１２】本発明の実施の形態３におけるブランクパネルの取付け構造を示す斜視図である。
【発明を実施するための形態】
【０００９】
本発明に係るブランクパネルの実施の形態について、図面を参照して説明する。以下の各図において、同一符号は、同一または相当の構成を示す。なお、本発明は以下に示す各実施の形態に限定されるものではない。
【００１０】
実施の形態１．
図１は本発明の実施の形態１におけるブランクパネルの構造を示す斜視図である。シェルフ１２にカードユニットが未実装である場合を示している。シェルフ１２は正面側の挿入口１３からカードユニットを実装可能であり、複数のカードユニットを横方向に配列可能な構造となっている。カードユニットはガイドレール１８にガイドされてシェルフ１２に実装されるが、個々のカードユニットが実装される空間をカードスロットと称する。即ち、シェルフ１２はカードユニットを実装するためのカードスロットを横方向に複数配列した構造となっている。
【００１１】
ブランクパネル１は、シェルフ１２の挿入口１３に相当する大きさであり、樹脂等により１枚の帯板状に形成される。複数の正面板部２が連なって１枚の帯板状となっており、隣接する正面板部２の間にはシェルフ１２に実装される電子回路の冷却効果を向上させるためにスリット３が設けられている。正面板部２の幅はそれぞれ、シェルフ１２に実装可能なカードユニットの正面板の幅（カードユニットの幅またはカードスロットの幅）に相当しており、正面板部２の配列はカードスロットの配列（実装され得るカードユニットの配列）に沿った並びとなっている。図１では、各正面板部２の幅が基本寸法で一定の場合を示しているが、シェルフ１２に実装可能なカードユニットの幅が個々に異なる場合は、それに対応して正面板部２の幅も個々に異なる。
【００１２】
スリット３の上下には、隣接する正面板部２を切り離し可能な切断部４が設けられており、スリット３の上方および下方（切断部４の上下）には切欠き部５が設けられている。各正面板部２には、上部および下部に締結穴６が設けられている。この締結穴６の位置は、カードユニットを固定するためにシェルフ１２の前面枠１４に設けられた位置決め穴１５の位置に対応している。ブランクパネル１の四隅の締結穴６を用いて、４個のネジ１７でブランクパネル１をシェルフ１２の前面枠１４に固定することにより、挿入口１３を覆うことができる。なお、ネジ固定の数はブランクパネル１の固定の強度に合わせて適宜決めればよい。
【００１３】
図２は本発明の実施の形態１におけるブランクパネルの構造を示す斜視図であり、カードユニット１６を右側から４個実装する場合を示している。挿入口１３のうち、カードユニット１６が未実装の部分が開口部１３ａである。シェルフ１２に実装するカードユニット１６の個数に合わせて、正面板部２を切断部４で切り離す。図２では、カードユニット１６が右側から４個実装されるので、右側から４個の正面板部２を切断部４で切り離す。開口部１３ａに対応する大きさのブランクパネル１ａについて、四隅の締結穴６を用いて、４個のネジ１７でブランクパネル１ａをシェルフ１２の前面枠１４に固定することにより、開口部１３ａを覆うことができる。
【００１４】
図３は本発明の実施の形態１におけるブランクパネルの構造を示す斜視図であり、カードユニット１６を左側から４個実装する場合を示している。シェルフ１２に実装するカードユニット１６の個数に合わせて、正面板部２を切断部４で切り離す。図３では、カードユニット１６が左側から４個実装されるので、左側から４個の正面板部２を切断部４で切り離す。開口部１３ａに対応する大きさのブランクパネル１ａについて、四隅の締結穴６を用いて、４個のネジ１７でブランクパネル１ａをシェルフ１２の前面枠１４に固定することにより、開口部１３ａを覆うことができる。
【００１５】
図４は本発明の実施の形態１におけるブランクパネルの構造を示す斜視図であり、カードユニット１６をシェルフ１２の中央部に４個実装する場合を示している。シェルフ１２に実装する４個のカードユニット１６に対応する４個の正面板部２を左右二箇所の切断部４で切り離す。左右二箇所の開口部１３ａ、１３ｂそれぞれに対応する大きさのブランクパネル１ａ、１ｂについて、四隅の締結穴６を用いて、それぞれ４個のネジ１７でシェルフ１２の前面枠１４に固定することにより、開口部１３ａ、１３ｂを覆うことができる。
【００１６】
上述では、切断前のブランクパネル１の大きさは、挿入口１３の大きさに相当するものとしたが、これに限られたものではない。例えば、少なくとも右側から２個はカードユニット１６が必ず実装されると予め決められている場合には、挿入口１３の大きさよりカードユニット２個分だけ小さなブランクパネル１を作成しておき、その他のカードユニット１６の実装状態に合わせて当該ブランクパネル１を切断してもよい。必ず実装されると予め決められているカードユニット１６がある場合には、ブランクパネル１の大きさは、挿入口１３よりも小さくしてもよく、開口部１３ａ以上の大きさ（幅）があればよい。
【００１７】
図５は本発明の実施の形態１における切断部４を示す図である。図５（Ａ）は、切断部４を説明する正面図であり、図５（Ｂ）は、切断部４を説明するＡ−Ａ断面図である。図５（Ｂ）に示すように、切断部４にはＶ溝が設けられているため、カッターで切断するか、もしくは、手で折り曲げることにより、容易にブランクパネル１を切断できる構造となっている。さらに、スリット３の上方および下方に切欠き部５を設けることで、切断部４において切断し易くなっている。図５に示す構造の他にも、例えば、切断部４にミシン目を設けることにより、同様の効果が得られる。また、ブランクパネル１の材質や塗装・メッキ等の表面処理により導電性を持たせることでシールド効果が得られる。
【００１８】
本実施の形態１によれば、ブランクパネル１は、各カードユニット１６の幅に対応した正面板部２が連なって１枚の帯板状に形成されており、必要に応じて不要部分を切断して使用するため、実装予定のカードユニット１６の幅（カードスロットの幅）が統一されておらず、基本寸法の整数倍でないものが含まれる場合においても、開口部１３ａを覆うことができる。１枚のブランクパネル１を必要に応じて切断して使用するため、大きさが異なるカードユニット１６それぞれに対応するブランクパネルを個別に準備する必要がなく、部品点数を削減できる。
【００１９】
また、本実施の形態１によれば、複数のブランクパネルをそれぞれ連結させる煩雑な作業を必要とせず、切断部４で切断するという簡便な作業で対応可能である。ブランクパネル１の少なくとも四隅の締結穴６を用いてシェルフ１２に固定すればよく、未実装のカードユニットの個数に対応する複数のブランクパネルを個別にシェルフに固定するという煩雑な作業を必要としない。
【００２０】
実施の形態２．
実施の形態１では１枚のブランクパネル１を必要に応じて切断して使用したが、伸縮自在な構造としてもよい。図６は本発明の実施の形態２におけるブランクパネルの構造を示す斜視図である。シェルフ１２にカードユニット１６が未実装である場合を示している。ブランクパネル１０１は、樹脂等により伸縮自在なジャバラ状に１枚で形成されており、シェルフ１２に実装される電子回路の冷却効果を向上させるためにスリット１０３が設けられている。ブランクパネル１０１は、シェルフ１２の正面側の上部および下部に設けられたレール１９に沿って伸縮自在となっている。ブランクパネル１０１は、完全に伸長させた状態のときに挿入口１３の大きさとなるか、または、図６に示すように、少し折り曲げた状態で挿入口１３の大きさとなるようにしてもよい。
【００２１】
図７は本発明の実施の形態２におけるブランクパネルの構造を示す斜視図であり、カードユニット１６を右側から４個実装する場合を示している。実装するカードユニット１６の個数や幅に合わせて、レール１９内でブランクパネル１０１を折り曲げ部で折り畳んで縮めることで、開口部１３ａだけを覆うことができる。
【００２２】
図８は本発明の実施の形態２におけるブランクパネルの構造を示す斜視図であり、カードユニット１６を左側から４個実装する場合を示している。実装するカードユニット１６の個数や幅に合わせて、レール１９内でブランクパネル１０１を折り曲げ部で折り畳んで縮めることで、開口部１３ａだけを覆うことができる。
【００２３】
図９は本発明の実施の形態２におけるブランクパネルの構造を示す斜視図であり、カードユニット１６をシェルフ１２の中央部に４個実装する場合を示している。ブランクパネル１０１を２つ用意して、左右の開口部１３ａ、１３ｂに対応する大きさになるように、それぞれのブランクパネル１０１ａ、１０１ｂを折り畳んで縮めることで、開口部１３ａ、１３ｂだけを覆うことができる。
【００２４】
図１０は本発明の実施の形態２におけるブランクパネルのジャバラ構造を説明する断面図である。図１０（Ａ）はジャバラ構造を伸ばした場合、図１０（Ｂ）はジャバラ構造を縮めた場合を示している。図１０に示すとおり、ブランクパネル１０１にはジャバラの折り曲げ部にＶ溝が設けられており、容易に伸縮可能な構造となっている。なお、Ｖ溝はブランクパネル１０１の前面と背面に交互に設けられている。ブランクパネル１０１の材質や塗装・メッキ等の表面処理により導電性を持たせることでシールド効果が得られる。
【００２５】
図９においてブランクパネル１０１を２つ用意したが、折り曲げ部において切り離し可能な構造としておけば、ブランクパネル１０１を適当な箇所で切断して２つのブランクパネル１０１ａ、１０１ｂとして使用することも可能である。
【００２６】
本実施の形態２によれば、ブランクパネル１０１が伸縮自在な構造であるため、実装予定のカードユニット１６の幅が統一されておらず、基本寸法の整数倍でないものが含まれる場合においても、開口部１３ａを覆うことができる。１枚のブランクパネル１０１を必要に応じて伸縮させて使用するため、大きさが異なるカードユニット１６それぞれに対応するブランクパネルを個別に準備する必要がなく、部品点数を削減できる。
【００２７】
また、本実施の形態２によれば、複数のブランクパネルをそれぞれ連結させる煩雑な作業を必要とせず、ジャバラ構造を伸縮させるという簡便な作業で対応可能である。開口部１３ａに後からカードユニット１６が追加で実装される場合にも、当該部分に実装されていたブランクパネルを取り外して不要とすることはなく、ブランクパネル１０１を縮めて対応可能であるため、無駄を削減できる。
【００２８】
実施の形態３．
実施の形態１では１枚のブランクパネル１を必要に応じて切断して使用したが、左右方向にスライドさせて使用してもよい。図１１は本発明の実施の形態３におけるブランクパネルの構造を示す斜視図である。シェルフ１２にカードユニット１６が未実装である場合を示している。ブランクパネル２０１は、シェルフ１２の挿入口１３に相当する大きさで、樹脂または金属性の薄板等により１枚の帯板状に形成されている。ブランクパネル２０１には、シェルフ１２に実装される電子回路の冷却効果を向上させるためのスリット２０３と、ブランクパネル２０１を左右方向にスライドさせるための取手部２０２が設けられている。ブランクパネル２０１は、シェルフ１２の上部および下部に設けられたレール２０に挿入可能となっている。レール２０は、シェルフ１２の正面側から側面側にかけて一連に設けられている。
【００２９】
図１２は本発明の実施の形態３におけるブランクパネルの取付け構造を示す斜視図であり、カードユニット１６を実装する場合を示している。実装するカードユニット１６の個数や幅に合わせて、取手部２０２を持って、レール２０に沿ってブランクパネル２０１をスライドさせることで、開口部１３ａだけを覆うことができる。ブランクパネル２０１は柔軟性があり、レール２０に沿ってシェルフ１２の角部で略垂直に曲折可能である。開口部１３ａに合わせてスライドさせたブランクパネル２０１の部分は、側面側のレール２０に沿ってシェルフ１２内部に収納される
【００３０】
取手部２０２は、図１１および図１２に示すように右側に配置することに限られたものではなく、例えば、ブランクパネル２０１の中央部に配置してもよい。レール２０をシェルフ１２の右側面側から正面側を経由して左側面側にかけてコの字状に形成しておけば、ブランクパネル２０１の中央部に配置された取手部２０２をもって、ブランクパネル２０１を左右どちら方向に対してもスライドさせることができる。これにより、シェルフ１２の左右どちら側からカードユニット１６が実装されても対応が可能である。
【００３１】
また、ブランクパネル２０１の大きさは、挿入口１３に相当する大きさに限られたものではない。必ず実装されると予め決められているカードユニット１６がある場合には、ブランクパネル２０１の大きさは、挿入口１３よりも小さくしてもよく、開口部１３ａ以上の大きさ（幅）があればよい。
【００３２】
本実施の形態３によれば、ブランクパネル２０１を左右方向に移動可能な取付け構造であるため、実装予定のカードユニット１６の幅が統一されておらず、基本寸法の整数倍でないものが含まれる場合においても、開口部１３ａを覆うことができる。１枚のブランクパネル２０１を必要に応じてスライドさせて使用するため、大きさが異なるカードユニット１６それぞれに対応するブランクパネルを個別に準備する必要がなく、部品点数を削減できる。
【００３３】
また、本実施の形態３によれば、複数のブランクパネルをそれぞれ連結させる煩雑な作業を必要とせず、ブランクパネル２０１を左右方向にスライドさせるという簡便な作業で対応可能である。開口部に後からカードユニット１６が追加で実装される場合にも、当該部分に実装されていたブランクパネルを取り外して不要とすることはなく、ブランクパネル２０１をスライドさせて対応可能であるため、無駄を削減できる。
【符号の説明】
【００３４】
１  ブランクパネル
２  正面板部
３  スリット
４  切断部
５  切欠き部
６  締結穴
１２  シェルフ
１３  挿入口
１３ａ  開口部
１６  カードユニット
２０  レール
１０１  ブランクパネル
２０１  ブランクパネル
２０２  取手部
【図１】
2011100768.tif 000003
【図２】
2011100768.tif 000004
【図３】
2011100768.tif 000005
【図４】
2011100768.tif 000006
【図５】
2011100768.tif 000007
【図６】
2011100768.tif 000008
【図７】
2011100768.tif 000009
【図８】
2011100768.tif 000010
【図９】
2011100768.tif 000011
【図１０】
2011100768.tif 000012
【図１１】
2011100768.tif 000013
【図１２】
2011100768.tif 000014